(57)【特許請求の範囲】
【請求項１】
複数のオーディオゲートウエイから選択された１つのオーディオゲートウエイとの間で無線により通信して音楽等を聴くため、無線信号送受信手段を介して前記オーディオゲートウエイと送受信する無線モジュールを備える無線ヘッドセットにおいて、
前記オーディオゲートウエイひとつひとつのボリューム設定情報、音楽ソースおよび曲位置等を記憶するメモリと、該メモリおよび前記無線モジュール間に接続され、全体動作を制御する制御部と、前記無線モジュールに設けられ自己デバイスの識別情報であるデバイスＩＤと、一定距離内に存在する前記オーディオゲートウエイのデバイスＩＤを自動的に検出してペアリングする検出手段とを備え、前記メモリに記憶された以前の状態を復元して複数のオーディオゲートウエイから選択されたオーディオゲートウエイとペアリングして動作可能にすることを特徴とする無線ヘッドセット。
【請求項２】
前記制御部に接続された入力手段を備え、ユーザによる各種指示および前記ペアリングするオーディオゲートウエイの特定を可能にすることを特徴とする請求項１に記載の無線ヘッドセット。
【発明の詳細な説明】
【０００１】
【発明の属する技術分野】
本発明はヘッドセットに関し、例えば音響（オーディオ）機器と無線により通信可能な無線ヘッドセットに関する。
【０００２】
【従来の技術】
半導体集積回路技術の進歩により、電子機器の小型軽量化が急速に進行し、ポータブル型音響機器（ステレオセット）を使用して音楽を聴きながら歩行又は電車等での通勤するのが普通になっている。斯かるポータブル型音響機器には、電気−音響変換器としてヘッドセット（又はヘッドホン）を使用する。
【０００３】
また、従来のポータブル型音響機器では、音楽を再生する本体部とヘッドセット間は細いケーブルにより接続されているのが一般的であった。しかし、例えば混雑した通勤電車内又は歩行時には、斯かるケーブルは邪魔である。そこで、本体部で再生した信号を無線によりヘッドセットへ送ることにより、本体部とヘッドセット間を接続するケーブルを排除し、本体部を鞄又はハンドバック内に収めて携帯することが可能になる。また、通勤電車等では、本体部を収めた鞄等を網棚に乗せたままでも音楽を再生して楽しむことが可能になる。
【０００４】
また、据置型の音響機器で音楽を聴く場合にも、無線ヘッドセットを使用するのが好ましい。この無線ヘッドセットの使用により、大音量で他人に迷惑をかけることなく一人で音楽を聴くことができ、また部屋内を移動しながらでもステレオ音楽を聴くことが可能になる。
【０００５】
図３は、従来の無線ヘッドセットを使用する音響機器（オーディオシステム）の例を示す。図３（Ａ）に示す如く、音響機器本体であるオーディオゲートウエイ１００Ａと無線ヘッドセット１１０Ａとをペアリングして使用する。このオーディオゲートウエイ１００Ａには、少なくとも例えばＣＤ（Compact Disc）およびＭＤ（Mini Disc)等の再生装置、信号処理装置および増幅器無線送受信部を備えている。そして、ＣＤ又はＭＤから再生した音楽信号を無線送信部にて無線によりヘッドセット１１０Ａへ送信する。一方、無線ヘッドセット１１０Ａでは、受信した音楽信号を復調し、所定のレベルに増幅して内蔵する電気―音響変換機に入力して音声信号を音響信号に変換する。この無線ヘッドセット１１０Ａには、ボリュームを備え、オーディオゲートウエイ１００Ａが再生する音楽等の音量を適宜設定して聴くことが可能である。
【０００６】
しかし、ユーザが例えば外出する際には、図３（Ｂ）に示す如く携帯型のオーディオゲートウエイ１００Ｂに変更（ＣＤ／ＭＤも移す）する必要がある。そして、図３（Ａ）のヘッドセットと同じ又は別のヘッドセット１１０Ｂとペアリングして音楽を聴く。また、外出から家に戻ると、図３（Ｃ）に示す如く再度、オーディオゲートウエイ１００Ａとヘッドセット１１０Ａに切り替える。
【０００７】
【発明が解決しようとする課題】
上述の如く、従来の無線ヘッドセットを使用する音響機器においては、オーディオゲートウエイ１００とヘッドセット１１０をペアリングし直すと、ヘッドセット１１０自身のボリューム情報の設定しか保存されていない。従って、オーディオゲートウエイとヘッドセットとのペアリングを変更する毎に、オーディオゲートウエイ側の設定でしか再生できないという不都合又は不便があった。
【０００８】
【発明の目的】
本発明は、従来技術の上述した課題に鑑みなされたものであり、ペアリングの不便を解消して操作性を改善する音響機器用の無線ヘッドセットを提供することを目的とする。
【０００９】
【課題を解決するための手段】
前述の課題を解決するために、本発明による無線ヘッドセットは、次のような特徴的な構成を採用している。
【００１０】
（１）複数のオーディオゲートウエイから選択された１つのオーディオゲートウエイとの間で無線により通信して音楽等を聴くため、無線信号送受信手段を介して前記オーディオゲートウエイと送受信する無線モジュールを備える無線ヘッドセットにおいて、
前記オーディオゲートウエイひとつひとつのボリューム設定情報、音楽ソースおよび曲位置等を記憶するメモリと、該メモリおよび前記無線モジュール間に接続され、全体動作を制御する制御部と、前記無線モジュールに設けられ自己デバイスの識別情報であるデバイスＩＤと、一定距離内に存在する前記オーディオゲートウエイのデバイスＩＤを自動的に検出してペアリングする検出手段とを備え、前記メモリに記憶された以前の状態を復元して複数のオーディオゲートウエイから選択されたオーディオゲートウエイとペアリングして動作可能にする無線ヘッドセット。
【００１１】
（２）前記制御部に接続された入力手段を備え、ユーザによる各種指示および前記ペアリングするオーディオゲートウエイの特定を可能にする上記（１）の無線ヘッドセット。
【００１５】
【発明の実施の形態】
以下、本発明による無線ヘッドセットの好適実施形態の構成および動作を、添付図面を参照して詳細に説明する。
【００１６】
先ず、図１は、本発明による無線ヘッドセットの好適実施形態の構成を示すブロック図である。この無線ヘッドセット１０は、無線送受信手段であるアンテナ１１、無線モジュール１２、制御部１３、入力手段１４、メモリ部１５およびスピーカ１６により構成される。無線モジュール１２は、デバイスＩＤ１２Ａを内蔵している。
【００１７】
次に、上述した無線ヘッドセット１０の各構成要素１１〜１６の接続関係を説明する。アンテナ１１は、無線モジュール１２に接続されている。無線モジュール１２には、制御部１３およびスピーカ１６が接続されている。また、制御部１３には、入力手段１４およびメモリ部１５が接続されている。
【００１８】
上述した無線ヘッドセット１０の各構成要素１１〜１６の主要機能と共に動作を説明する。アンテナ１１は、オーディオゲートウエイとの間で無線の送受信を行う。無線モジュール１２は、アンテナ１１で受信した電波を復調し、例えばＵＡＲＴシリアルデータとして制御部１３へ入力する。一方、制御部１３から出力されたデータは、無線モジュール１２で変調して、アンテナ１１を介して電波が送信される。尚、無線モジュール１２と制御部１３との間の入力形式は、周知であるＵＳＢ（Universal Serial Bus）等の他の方式であってもよい。また、アンテナ１１は、赤外線の場合には受光部、その他の無線方式の受け部としてもよい。その場合には、無線モジュール１２は赤外線モジュール等の入出力モジュールとなる。
【００１９】
入力手段１４は、ユーザの操作により、制御部１３へ信号の種類としてオーディオゲートウエイへのペアリング実行、ボリューム（音量）変更、ＣＤ／ＭＤ等の再生、トラックサーチ等の指示を伝える。メモリ部１５は、好ましくはＲＡＭ（Random Access Memory)等の書き換え可能なメモリである。ペアリング相手のデバイス識別情報、ボリューム設定情報、曲情報等の各種情報が記憶されている。これら各種情報は、制御部１３により記憶（書き込み）および読み出しされる。また、無線モジュール１２が内蔵するデバイスＩＤ１２Ａは、自己デバイス、即ち、無線ヘッドセット１０自身の識別情報であり、オーディオゲートウエイとペアリング時に相手デバイス（オーディオゲートウエイ）と交換される。尚、スピーカ１６は、オーディオゲートウエイから無線により受信した音楽等の信号を音響信号（空気振動）に変換する。スピーカ１６は、ステレオの場合には左右の耳用に１対備えている。
【００２０】
次に、図２（Ａ）〜（Ｃ）は、図１に示す無線ヘッドセット１０と共にオーディオゲートウエイ２０を使用して、音響機器又はオーディオシステムを構成する場合のイメージ図である。図２（Ａ）は、据置型のオーディオゲートウエイ２０Ａとヘッドセット１０とをペアリングする場合を示す。これにより、ユーザはオーディオゲートウエイ２０Ａが据え付けられた室内又はその近傍でオーディオゲートウエイ２０Ａが再生する音楽等を聴くことが可能である。また、図２（Ｂ）は、携帯型のオーディオゲートウエイ２０Ｂを身に付けてヘッドセット１０と共にペアリングして、移動しながら音楽等を聴くことが可能である。また、図２（Ｃ）は、ユーザが外出から戻り、再度オーディオゲートウエイ２０Ａとヘッドセット１０とをペアリングして前回の環境を再現して音楽等を聴くことが可能である。
【００２１】
好ましくは、オーディオゲートウエイ２０とヘッドセット１０間には検知手段（図示せず）を備え、相互に近接しているオーディオゲートウエイ２０およびヘッドセット１０を相互に検知可能である。そこで、ヘッドセット１０は、入力手段１４による操作又は一定距離内にあるオーディオゲートウエイ２０Ａ又は２０Ｂを検知して自動的にペアリングする。このとき、ヘッドセット１０は、オーディオゲートウエイ毎にボリュームと共に音楽ソースＩＤ、曲の位置情報などをメモリ部１５に予め記憶しておく。従って、ヘッドセット１０は、オーディオゲートウエイ２０Ａ又は２０Ｂとペアリングした後に、オーディオゲートウエイと再度ペアリングしても、以前の状態を復元可能である。ボリューム設定値、演奏曲目、曲途中の位置まで正確に再現可能である。即ち、ヘッドセット１０のメモリ部１５には、制御部１３の制御下で、ペアリングするオーディオゲートウエイのＩＤ情報に基づき各オーディオゲートウエイ毎に上述した各種設定情報を再現することが可能である。
【００２２】
以上、本発明による無線ヘッドセットの好適実施形態の構成および動作を詳述した。しかし、斯かる実施形態は本発明の単なる例示に過ぎず、何ら本発明を限定するものではない。本発明の要旨を逸脱することなく種々の変形変更が可能であること、当業者には容易に理解できよう。特に、本発明は、オーディオだけに限定されず、映像についても適用することができることは明らかである。
【００２３】
【発明の効果】
以上の説明から理解され如く、本発明による無線ヘッドセットによると、次の如き実用上の顕著な効果が得られる。即ち、ヘッドセットとオーディオゲートウエイとの間のペアリングが円滑に行われ、操作性が大幅に改善可能である。単にボリューム設定値のみならず音楽ソース、曲位置情報等を再現可能である。また、入力手段によりペアリング相手を特定し又は自動検出手段により一定距離内に存在するオーディオゲートウエイを自動的に検知してペアリング相手の以前の状態を再現し、継続して聴くことが可能である。
【図面の簡単な説明】
【図１】本発明による無線ヘッドセットの好適実施形態の構成を示すブロック図である。
【図２】図１に示す無線ヘッドセットとオーディオゲートウエイとのペアリング動作の説明図である。
【図３】従来の無線ヘッドセットとオーディオゲートウエイとのペアリング動作の説明図である。
【符号の説明】
１０  ヘッドセット
１１  無線送受信手段（アンテナ）
１２  無線モジュール
１２Ａ  デバイスＩＤ
１３  制御部
１４  入力手段
１５  メモリ部
１６  スピーカ
【図１】
0004021217.tif 000002
【図２】
0004021217.tif 000003
【図３】
0004021217.tif 000004